(57)【要約】【課題】位相差フィルム、接着剤及びガラス基板の組み合わせに制約がなく、透過光の透過率が低下することがない位相差板を提供することを目的とする。【解決手段】本発明の位相差板１０は、縦５ｍｍ、横５ｍｍ、厚さ０．４ｍｍの寸法を有し、略中央部の透光部１０ａに２ｍｍφの貫通孔１１ａを有するガラス基板１１と、ガラス基板１１の接着面１１ｂに紫外線硬化樹脂製の透明接着剤１２によって貼付された位相差フィルム１３と、位相差フィルムの非接着面１３ａに形成された反射防止膜１４とを備えており、透明接着剤１２は、透光部１０ａには形成されていない。【選択図】図１
2008164690.tif 000002
【特許請求の範囲】
【請求項１】
ガラス基板と、ガラス基板の片面に接着剤によって貼付された位相差フィルムとを備える位相差板において、透過光の透過領域にはガラス基板及び接着剤を有しないことを特徴とする位相差板。
【請求項２】
ガラス基板がダウンドロー成形法又はフロート成形法によって作製されたガラス板からなることを特徴とする請求項１に記載の位相差板。
【請求項３】
ガラス基板が、波長が３６５ｎｍの紫外線を９０％以上透過するガラスからなり、接着剤が紫外線硬化型樹脂を含有することを特徴とする請求項１又は２に記載の位相差板。
【請求項４】
接着剤が、フィラーを含有することを特徴とする請求項１〜３のいずれかに記載の位相差板。
【請求項５】
接着剤が、使用波長における透過率が９０％以下であることを特徴とする請求項１〜４のいずれかに記載の位相差板。
【請求項６】
位相差フィルムの片面又は両面に反射防止膜が形成されてなることを特徴とする請求項１〜５のいずれかに記載の位相差板。
【発明の詳細な説明】
【技術分野】
【０００１】
本発明は、位相差板に関し、特に、光ディスク装置に内蔵される１／２波長板や１／４波長板等の位相差板に関する。
【背景技術】
【０００２】
従来、光源波長λのレーザ光をデータ伝送媒体として用いる光ディスク装置等の光学系で使用されるλ／４の位相差を有する位相差板として、異方性結晶である水晶板が用いられている。
【０００３】
この水晶板は材料そのものが高価であり、研削加工が必須となるため製造コストが高くなることが問題となっていたため、最近では、ガラス等の透明な材料に位相差フィルムを貼り合わせた位相差板が使用されている。
【０００４】
従来の位相差板２０は、例えば、図２に示すように、ガラス基板２１と、ガラス基板２１の接着面２１ａに樹脂製の接着剤２２によって貼付された位相差フィルム２３とを備えている。また、従来の他の形態の位相差板３０は、図３に示すように、二枚のガラス基板３１、３１と、それらに挟持され、樹脂製の接着剤３２、３２によって貼付された一枚の位相差フィルム３３とを備えている（例えば、特許文献１参照。）。
【特許文献１】特許第３４５８８９５号公報
【発明の開示】
【発明が解決しようとする課題】
【０００５】
しかしながら、特許文献１に記載の位相差板は、透過光の透過率の低下を抑制するために位相差フィルムと接着剤とガラス基板の屈折率を整合させなければならず、その組み合わせに大きな制約があった。また入射光の長時間の照射により接着剤が劣化して着色することによって透過光の透過率が低下するという問題も有していた。
【０００６】
本発明は、上記事情に鑑みなされたものであり、位相差フィルム、接着剤及びガラス基板の組み合わせに制約がなく、透過光の透過率が低下することがない位相差板を提供することを目的とする。
【課題を解決するための手段】
【０００７】
上記技術的課題を解決するためになされた本発明の位相差板は、ガラス基板と、ガラス基板の片面に接着剤によって貼付された位相差フィルムとを備える位相差板において、透過光の照射領域にはガラス基板及び接着剤を有しないことを特徴とする。
【発明の効果】
【０００８】
本発明の位相差板は、透過光の照射領域にはガラス基板及び接着剤を有せず、位相差フィルムのみ存在するため、位相差フィルムと接着剤とガラス基板との屈折率の不整合による透過率の低下がない。また位相差フィルムと接着剤とガラス基板との屈折率を整合させる必要がないため、これらの構成材料の組み合わせに制約がない。つまり、ガラス基板や接着剤の屈折率や光透過率に制約がなく、屈折率の異なるものや光透過率の低いものも使用可能となる。また位相差フィルムもガラス基板や接着剤の屈折率と大きく異なるものを使用できる。また、透過光の照射領域においては接着剤が存在しないため、入射光の照射による着色がなく、透過光の透過率が低下することがない。
【発明を実施するための最良の形態】
【０００９】
本発明の位相差板は、ガラス基板と、ガラス基板の片面に接着剤によって貼付された位相差フィルムとを備える。
【００１０】
ガラス基板は、その略中央部に、透過光束の径以上の径を有する貫通孔を備えている。そのため、ガラス基板による光の反射や吸収がなく、透過率の低下を抑制できる。
【００１１】
また、ガラス基板がダウンドロー成形法又はフロート成形法によって作製されたガラス板からなることが好ましい。このようにすれば、ガラス基板を所定の肉厚にするために研削加工する必要がないため、安価に製造できる。
【００１２】
また、ガラス基板は、透明なガラスからなることが好ましく、特に波長が４００〜８００ｎｍの平均光透過率が９０％以上であるガラスからなることが好ましい。このようにすれば、ガラス基板と位相差フィルムとの接着部における目視による接着不良検査、例えば気泡等の検査がガラス基板側からでも行うことができる。特に、このことは、位相差板が、二枚のガラス基板と、それらに挟持され、接着剤で貼付された位相差フィルムとからなる位相差板の場合の目視による接着不良検査に有効となる。
【００１３】
また、ガラス基板が、波長が３６５ｎｍの紫外線を９０％以上透過するガラスからなることが好ましい。このようにすれば、接着剤として、紫外線硬化型樹脂を含む接着剤を使用できるからである。
【００１４】
接着剤は、特に限定はないが、紫外線硬化型樹脂を含む接着剤であることが好ましい。このようにすれば、紫外線を短時間照射するだけで硬化接着させることができるので、位相差フィルムを劣化させることがない。
【００１５】
接着剤は、熱膨張係数が位相差フィルムよりも低く、ガラス基板よりも高いことが好ましい。このようにすれば、接着界面での剥がれを抑制できるとともに、位相差フィルムの張力の温度変動を小さくできるため、レタデーション値や位相差軸の変動を抑制できる。
【００１６】
樹脂製の接着剤は、一般的には位相差フィルムよりも高い熱膨張係数を有しているが、接着剤にフィラーを含有させることによって、位相差フィルムよりも低い熱膨張係数にすることができる。また、フィラーを含有させることによって、接着強度が高くなるという効果も有する。このフィラーとしては、具体的に、石英ガラス、ジルコン、ジルコニア、アルミナ、コーディエライト、ウイレマイト、β−ユークリプタイト及びペタライトの群から選択された少なくとも一種の粉末からなる無機材料フィラーであることが好ましい。
【００１７】
また接着剤が、使用波長における透過率が９０％以下であることが好ましい。このようにすれば、光源とは異なる光（迷光）が位相差板の外部から入射されても接着剤によって遮光できるからである。尚、使用波長とは、ＣＤ装置、ＤＶＤ装置、ブルーレイ装置（ＨＤ−ＤＶＤ装置）の光学系で使用される波長で、具体的には、４０５ｎｍ、６５８ｎｍ及び７８０ｎｍの少なくとも一つの波長をいう。
【００１８】
位相差フィルムとしては、光学異方性を有し、透過光の偏光面を円偏光もしくは楕円偏光にすることができる位相差フィルムであれば使用可能であり、光源波長をλとしたとき、λ／ｎ（ｎは自然数）の位相差を発生させる位相差フィルムであれば特に限定はない。
【００１９】
また、位相差フィルムは、その片面又は両面に反射防止膜が形成されていることが好ましい。このようにすれば、位相差フィルムの表面での反射を抑え、より高い透過率を得ることができるからである。反射防止膜は、使用波長における反射率が３％以下であることが好ましく、具体的には、低屈折率層と高屈折率層の少なくとも２層以上の交互膜からなることが好ましい。
【００２０】
また、本発明の位相差板は、２枚以上のガラス基板と、それぞれのガラス基板の間に接着剤によって貼付された少なくとも１枚の位相差フィルムを備える位相差板において、透過光の透過領域にはガラス基板及び接着剤を有していないことが好ましい。このようにすれば、上記した効果に加え、２枚以上のガラス基板を備え、それぞれのガラス基板の間に接着固定された従来の位相差板で発生する接着剤の吸湿による透光部（透過領域）の曇りが発生しない。
【実施例】
【００２１】
以下、本発明の位相差板を実施例に基づいて詳細に説明する。
【００２２】
図１は、本発明の位相差板の説明図であり、（ａ）はその斜視図、（ｂ）は（ａ）のＡ−Ａ´断面図である。
【００２３】
（実施例１）
図１に示すように、本発明の位相差板１０は、縦５ｍｍ、横５ｍｍ、厚さ０．４ｍｍの寸法を有し、略中央部の透光部１０ａに２ｍｍφの貫通孔１１ａを有するガラス基板１１と、ガラス基板１１の接着面１１ｂに紫外線硬化樹脂製の透明接着剤１２によって貼付された位相差フィルム１３と、位相差フィルムの非接着面１３ａに形成された反射防止膜１４とを備えており、透明接着剤１２は、透光部１０ａには形成されていない。
【００２４】
尚、ガラス基板は、波長４００〜８００ｎｍの可視光における平均光透過率が９１％のホウケイ酸ガラスからなり、位相差フィルム１３は、６５５ｎｍの光源波長を有する入射光に対し、その波長の１／４の１６４ｎｍの位相差を生じさせる位相差機能を有するフィルム、例えば、ＪＳＲ（株）製「ＡＲＴＯＮ」（登録商標）フィルムである。また反射防止膜は、Ｔａ2Ｏ5とＳｉＯ2の合計４層からなる交互膜からなり、位相差フィルムの非接着面１３ａでの反射率が６５５ｎｍの光源波長において１％以下であった。
【００２５】
以下に、上述の位相差板１０の製造方法を示す。
【００２６】
まずオーバーフロー成形法によって作製した大板ガラスに、ケミカルエッチング法あるいはサンドブラスト法によって縦横５ｍｍ間隔に２ｍｍφの貫通孔を形成する。
【００２７】
次いで、大板ガラスの表面に、３６５ｎｍの紫外線で硬化する１００〜４０００ｍＰａ・ｓのＵＶ硬化樹脂製の透明接着剤を、スピンコーティングあるいはスクリーン印刷によって塗布する。
【００２８】
次に、片面にＴａ2Ｏ5とＳｉＯ2の合計４層からなる交互膜からなる反射防止膜を物理蒸着法又はスパッタ法によって形成した厚さ９０±１５μｍの位相差フィルムを大板ガラスと同じ大きさにカットし、反射防止膜が形成されていない面が接着面になるように透明接着剤を塗布した大板ガラスに重ね合わせ、所定の押圧力を有する一対のゴムローラーの間を通して貼り合わせる。その後、３５０ｎｍの紫外光を照射し、透明接着剤を硬化させて、積層体を作製する。尚、位相差フィルムへの反射防止膜の形成は、位相差フィルムとガラス基板を貼り合わせた後に行っても良い。
この積層体を貫通孔の略中間位置で縦横５ｍｍ幅になるようにダイシングして、実施例の位相差板を得る。尚、ダイシングの際、切断方向と位相差フィルムの光学軸方向とのなす角度が４５度となるように切断する。
【００２９】
（実施例２）
実施例２の位相差板は、ガラス基板を２枚使用し、片面に反射防止膜が形成された位相差フィルムを２枚のガラス基板で挟持して接着剤で固定した以外は、実施例１と同様に構成されている（図示せず）。
【００３０】
この実施例２の位相差板について、６５℃、９５％の高温高湿槽で１６８時間処理した後、取り出し、透光面を観察したところ、「曇り」は発生していなかった。一方、図３のように透光部にガラス基板を有する（貫通孔がない）位相差板について、同様に高温高湿試験を行ったところ「曇り」が発生していた。
【産業上の利用可能性】
【００３１】
以上説明したように、本発明の位相差板は、位相差フィルム、接着剤及びガラス基板の組み合わせに制約がなく、透過光の透過率が低下することがないため、ＣＤ装置、ＤＶＤ装置、ブルーレイ装置等の光ピックアップ用の光学系に使用される位相差板として好適である。
【図面の簡単な説明】
【００３２】
【図１】本発明の位相差板の説明図であり、図１（ａ）は、その斜視図、図１（ｂ）は、（ａ）のＡ−Ａ´線断面図である。
【図２】従来の位相差板の説明図である。
【図３】従来の他の位相差板の説明図である。
【符号の説明】
【００３３】
１０  位相差板
１０ａ  透光部
１１  ガラス基板
１１ａ  貫通孔
１１ｂ  接着面
１２  接着剤
１３  位相差フィルム
１３ａ  非接着面
【図１】
2008164690.tif 000003
【図２】
2008164690.tif 000004
【図３】
2008164690.tif 000005